(57)【要約】【課題】光学部品の組立方法において、作業性を大幅に向上させる。【解決手段】半球状レンズを下側治具の凹部に載置し（ｓｔ１）、接着剤を滴下する（ｓｔ２）。上側治具で平板状レンズを静電吸着し（ｓｔ３）、上側治具を下側治具の内空間に挿入してゆくと（ｓｔ４）、平板状レンズ，半球状レンズの各接合面が接着剤を介して突き合わされる（ｓｔ５）。上側治具を回転させ、半球状レンズと平板状レンズの接合面同士を摺り合わせる（ｓｔ６）。各接合面の間に接着剤が拡布され、半球状レンズの半球面が下側治具の凹部にならい、半球状レンズの姿勢が修正され半球状レンズ，平板状レンズの各光軸が一致する。そのまま放置する（ｓｔ７）。上側治具を下側治具の内空間から引き抜くと（ｓｔ８）、半球状レンズと平板状レンズの貼り合わせレンズである第１レンズが下側治具の凹部に残る。第１レンズを樹脂製ピンセット等を用いて下側治具から取り出す（ｓｔ９）。【選択図】図４
2009292701.tif 000002
【特許請求の範囲】
【請求項１】
第１，第２光学部品を互いの接合面で接合して組み立てる光学部品の組立方法において、
前記第１光学部品を、その接合面が上側になるように、第１治具に載置する部品載置工程と、
次に、前記第１光学部品の接合面に接着剤を塗布する接着剤塗布工程と、
次に、前記第２光学部品との間に発生した静電気力によって第２治具で前記第２光学部品を吸着する吸着工程と、
次に、前記第２治具を前記第１治具に嵌合させることにより、前記第１光学部品の接合面と前記第２光学部品の接合面とが、前記接着剤を挟んで突き合わせられる突き合わせ工程と、
次に、前記接着剤を硬化させる接着剤硬化工程と、
次に、前記第１，第２治具の嵌合を解除して、前記接着剤硬化工程により接合された第１，第２光学部品を前記第１，第２治具から取り出す取り出し工程と
からなることを特徴とする光学部品の組立方法。
【請求項２】
前記第１治具の前記第１光学部品を載置する部分及び／又は前記第２治具の前記第２光学部品を吸着する部分は、各光学部品に形成された位置決め部に接して、各治具に対して各光学部品が位置決めされる被位置決め部をなしていることを特徴とする請求項１記載の光学部品の組立方法。
【請求項３】
前記被位置決め部は、円錐状の凹部であることを特徴とする請求項２記載の光学部品の組立方法。
【請求項４】
前記静電気力は、前記第２光学部品を前記吸着工程の前に予め仮置きした部品トレイと前記第２光学部品との摩擦によって発生した静電気によることを特徴とする請求項１ないし３いずれか１項記載の光学部品の組立方法。
【請求項５】
前記突き合わせ工程において、前記第１光学部品の接合面と前記第２光学部品の接合面とが前記接着剤を挟んで突き合わせられた直後、前記第１治具と前記第２治具とを、前記第１，第２光学部品の光軸周りに、相対的に回転させることを特徴とする請求項１ないし４いずれか１項記載の光学部品の組立方法。
【請求項６】
前記第１，第２光学部品は、２５ｍｇ以下の小型光学部品であることを特徴とする請求項１ないし５いずれか１項記載の光学部品の組立方法。
【請求項７】
前記取り出し工程において、前記第２光学部品の静電気を除去してから、前記第１，第２光学部品を前記第１，第２治具から取り出すことを特徴とする請求項１ないし６いずれか１項記載の光学部品の組立方法。
【発明の詳細な説明】
【技術分野】
【０００１】
本発明は、電子内視鏡の共焦点レーザプローブに組み込まれる光学部品の組立方法に関するものである。
【背景技術】
【０００２】
従来、光ファイバの出射端に配された光学ユニットを通して、体腔内の生体組織（被検体の被観察部位）にレーザ光を投射し、レーザ光の生体組織からの反射光のうち、光学ユニットの物体側焦点面における反射光のみを抽出して、生体組織内の観察画像を得る共焦点レーザプローブが知られている（特許文献１参照）。レーザ光を生体組織に走査することで、例えば、生体粘膜の表面から約１００μｍの深さの２次元画像を得ることができる。
【０００３】
共焦点レーザプローブは、電子内視鏡の鉗子チャンネルに挿入して使用される（特許文献２参照）。このような共焦点レーザプローブは、鉗子チャンネルに挿入して使用するために、外径を細くする必要がある。このため、光学ユニットを構成するレンズ等の光学部品は、例えば直径数ｍｍ程度と微小化が進み、要求される精度も偏芯誤差数１０μｍ以内と非常に厳しいものとなってきている。
【０００４】
このような微小な光学部品同士を接合する場合、光学部品を仮置き用のトレイから接合用の治具へ移載する必要がある。微小な光学部品を移載するには、光学部品を真空吸着する真空吸着ノズルが用いられている（特許文献３参照）。この真空吸着ノズルは、注射針程の細さの金属製ノズルであり、この先端に、光学部品を傷つけないように、ゴム製の筒状の弾性リングを固着してある。
【特許文献１】特開２００４−２４０３４６号公報
【特許文献２】特開２０００−１２１９６１号公報
【特許文献３】特開平７−８１９４９号公報
【発明の開示】
【発明が解決しようとする課題】
【０００５】
上記のような光学部品の微小化に伴って、上記真空吸着ノズルはより細く、上記弾性リングはより小さく、それぞれ成形されてきているが、サイズが小さくなればなるほど、成形精度も向上させる必要があり、これらの作成は非常に困難な状況になってきている。また、真空吸着ノズルで光学部品を真空吸着する際には、真空吸着ノズルに連結されたシリンダ等の駆動手段を駆動し、光学部品を離す際には停止する必要がある。つまり、真空吸着ノズルの使用に際しては、駆動手段の駆動，停止を頻繁に繰り返すことになるため、操作が面倒で、作業性が悪いという問題がある。また、吸着後に光学部品の位置ずれを微調整しようとしても、吸着力が強いためにかなわず、位置が少しでもずれたら再度吸着し直さなければならないなど、煩雑であった。
【０００６】
本発明は、上記課題に鑑みてなされたものであり、微小な光学部品を組み立てる際の作業性を大幅に向上させることができる光学部品の組立方法を提供することを目的とする。
【課題を解決するための手段】
【０００７】
上記目的を達成するために、本発明の光学部品の組立方法は、第１，第２光学部品を互いの接合面で接合して組み立てる光学部品の組立方法において、前記第１光学部品を、その接合面が上側になるように、第１治具に載置する部品載置工程と、次に、前記第１光学部品の接合面に接着剤を塗布する接着剤塗布工程と、次に、前記第２光学部品との間に発生した静電気力によって第２治具で前記第２光学部品を吸着する吸着工程と、次に、前記第２治具を前記第１治具に嵌合させることにより、前記第１光学部品の接合面と前記第２光学部品の接合面とが、前記接着剤を挟んで突き合わせられる突き合わせ工程と、次に、前記接着剤を硬化させる接着剤硬化工程と、次に、前記第１，第２治具の嵌合を解除して、前記接着剤硬化工程により接合された第１，第２光学部品を前記第１，第２治具から取り出す取り出し工程とからなることを特徴とする。
【０００８】
前記第１治具の前記第１光学部品を載置する部分及び／又は前記第２治具の前記第２光学部品を吸着する部分は、各光学部品に形成された位置決め部に接して、各治具に対して各光学部品が位置決めされる被位置決め部をなしていることが好ましい。また、前記被位置決め部は、円錐状の凹部であることが好ましい。また、前記静電気力は、前記第２光学部品を前記吸着工程の前に予め仮置きした部品トレイと前記第２光学部品との摩擦によって発生した静電気によることが好ましい。
【０００９】
前記突き合わせ工程において、前記第１光学部品の接合面と前記第２光学部品の接合面とが前記接着剤を挟んで突き合わせられた直後、前記第１治具と前記第２治具とを、前記第１，第２光学部品の光軸周りに、相対的に回転させることが好ましい。また、前記第１，第２光学部品は、２５ｍｇ以下の小型光学部品であることが好ましい。また、前記取り出し工程において、前記第２光学部品の静電気を除去してから、前記第１，第２光学部品を前記第１，第２治具から取り出すことが好ましい。
【発明の効果】
【００１０】
本発明の光学部品の組立方法によれば、第１治具に載置した第１光学部品の接合面に接着剤を塗布しておき、静電気力によって第２光学部品を吸着した第２治具を第１治具に嵌合させることにより、第１，第２光学部品の各接合面同士を突き合わせ、接着剤が硬化した後、第１，第２光学部品を第１，第２治具から取り出すので、取り扱いが面倒な真空吸着を用いる必要がなくなり、微小な光学部品を組み立てる際の作業性を大幅に向上させることができる。
【発明を実施するための最良の形態】
【００１１】
図１において、電子内視鏡１０の鉗子チャンネル１１には、共焦点レーザプローブ１２が挿入して使用される。また、電子内視鏡１０には、通常観察用プロセッサ装置１３が接続され、共焦点レーザプローブ１２には、共焦点観察用プロセッサ装置１４が接続されている。
【００１２】
電子内視鏡１０は、体腔内に挿入される可撓性の挿入部１５と、挿入部１５の基端部分に連設された操作部１６と、通常観察用プロセッサ装置１３に接続されるコネクタ１７と、操作部１６とコネクタ１７とを繋ぐユニバーサルコード１８とを備えている。
【００１３】
挿入部１５の先端には、体腔内撮影用のＣＣＤ（図示せず）などが内蔵された先端部１５ａが連設されている。先端部１５ａの後方には、複数の湾曲駒を連結した湾曲部１５ｂが設けられている。湾曲部１５ｂは、操作部１６に設けられたアングルノブ１９が操作されて、挿入部１５内に挿設されたワイヤが押し引きされることにより、上下左右方向に湾曲動作する。これにより、先端部１５ａが体腔内の所望の方向に向けられる。
【００１４】
鉗子チャンネル１１は、挿入部１５の内部に配され、先端部１５ａに設けられた鉗子出口１１ａから、操作部１６に設けられた鉗子入口１１ｂまで連続している。
【００１５】
通常観察用プロセッサ装置１３には、周知の光源、及び、信号処理回路などが実装されている。コネクタ１７が通常観察用プロセッサ装置１３に接続されているときに、通常観察用プロセッサ装置１３の光源が点灯されると、その光は電子内視鏡１０のコネクタ１７から先端部１５ａまで配管されたライトガイド（図示せず）に入射する。
【００１６】
ライトガイドに入射した照明光は、その内部を伝送されて、先端部１５ａ前面に設けられた照明窓（図示せず）から被検体内へ放射される。この照明光は被検体内で反射されて、先端部１５ａに内蔵されるＣＣＤで撮像される。このＣＣＤから出力された撮像信号は、通常観察用プロセッサ装置１３に伝送される。通常観察用プロセッサ装置１３は、撮像信号を画像データに変換して、通常観察用モニタ２０に出力する。これにより、体腔内の動画や静止画が通常観察用モニタ２０上に表示される。
【００１７】
共焦点レーザプローブ１２は、先端部に設けられ、被観察部位の像を得るための共焦点用の対物光学系を備えている共焦点用対物レンズユニット２１と、末端部に設けられ、共焦点観察用プロセッサ装置１４と接続するコネクタ２２と、共焦点用対物レンズユニット２１とコネクタ２２とを繋ぐケーブル２３とからなる。ケーブル２３の内部には、光を伝送する複数のシングルモード光ファイバを束ねて形成された光ファイバ束２４（図２参照）が設けられている。
【００１８】
この共焦点レーザプローブ１２は、上述したように電子内視鏡１０の鉗子入口１１ｂから挿入され、鉗子チャンネル１１を通り、先端部１５ａに設けられた鉗子出口１１ａから共焦点用対物レンズユニット２１の先端部が突出して、被検体内の観察画像を得ることができる。観察を行う際には、共焦点用対物レンズユニット２１の先端面を生体組織表面に接触させる。
【００１９】
共焦点観察用プロセッサ装置１４には、周知のレーザ光源、及び処理回路などが実装されており、共焦点レーザプローブ１２のコネクタ２２が共焦点観察用プロセッサ装置１４に接続されているときに、レーザ光源が点灯すると、そのレーザ光が、光ファイバ束２４の内部を伝送されて、共焦点用対物レンズユニット２１へ出射する。
【００２０】
シングルモード光ファイバから出射したレーザ光は、共焦点用対物レンズユニット２１に組み込まれた共焦点用対物光学系３１（図２参照）に入射する。そして、共焦点用対物光学系３１により被観察部位で焦点を結ぶ。次いで、被観察部位から反射した反射光が、共焦点用対物光学系３１を介してシングルモード光ファイバ内部に戻る。
【００２１】
シングルモード光ファイバの対物側先端部は、極めて小さい開口（コア）を有しており、点光源かつ絞りとして機能する。従ってシングルモード光ファイバ内部には、被観察部位からの反射光のうち、シングルモード光ファイバの対物側先端部と共役な位置（被観察部位で出射光が焦点を結んだ位置）から反射した光のみが入射する。
【００２２】
この入射光は、シングルモード光ファイバにより伝送されて共焦点観察用プロセッサ装置１４に入力する。共焦点観察用プロセッサ装置１４は、被観察部位にレーザ光を走査することにより得られる入射光の点像を受け取って電気信号に変換して周知の信号処理を施し、共焦点観察用モニタ２５に出力する。これにより、共焦点観察用モニタ２５に高倍率・高解像度の共焦点走査画像（観察画像）が表示される。
【００２３】
共焦点用対物レンズユニット２１は、図２に示すように、被検体の被観察部位に対面する第１レンズ２６と、この第１レンズ２６と間隔環２７を介して、第１レンズ２６の対物側と反対側の面に対向して設けられた第２レンズ２８と、第１レンズ２６及び第２レンズ２８が固定されるレンズ固定枠２９と、このレンズ固定枠２９を保持するレンズ鏡筒３０とを備える。
【００２４】
また、共焦点用対物レンズユニット２１は、第１レンズ２６及び第２レンズ２８を含む複数のレンズ（図示は省略）からなる共焦点用対物光学系３１を備えている。また、第１レンズ２６及び第２レンズ２８を含む共焦点用対物光学系３１の複数のレンズは、全てレンズ鏡筒３０に保持される。
【００２５】
第１レンズ２６は、図３に示すように、半球状レンズ３２（第１光学部品）の接合面３２ａ（平坦面）と、対物側に配され、半球状レンズ３２よりも外径が大きい平板状レンズ３３（第２光学部品）の接合面３３ａ（平坦面）とを接合して組み立てられた貼り合わせレンズである。なお、半球状レンズ３２，平板状レンズ３３は、例えばそれぞれの直径が、０．５ｍｍ，１．５ｍｍの微小なレンズである。また、半球状レンズ３２の接合面３２ａと反対側は半球面３２ｂになっている。
【００２６】
平板状レンズ３３の外周は、半球状レンズ３２の外径から突出する鍔部３３ｂを構成する。鍔部３３ｂは、平板状レンズ３３の外周全てに対して設けられている。なお、これに限らず、平板状レンズ３３の外周のうち少なくとも一部に鍔部が設けられていればよい。
【００２７】
鍔部３３ｂの対物側の縁は面取りされ、平板状レンズ３３の光軸に関して断面形状が対称なテーパー面３３ｃが形成されている。このテーパー面３３ｃは、第１レンズ２６の中で光学的に機能していない非光学的機能面であり、レンズ固定枠２９との位置決めを行う位置決め面として使用される他、後述する第１レンズ２６の組み立てに際して、平板状レンズ３３が偏芯なく上側治具に静電吸着されるのに使用される。
【００２８】
以下、図４に示すフローチャートに従って、第１レンズ２６を組み立てる本発明の組立方法について説明する。第１レンズ２６の組立は、一定の低湿度に湿度管理された雰囲気で行なわれる。なお、括弧内のｓｔ（ステップの意）１等は、図４に示すｓｔ１等に対応する。
【００２９】
図５に示すように、半球状レンズ３２を載置するための下側治具３５は、円柱状の中央治具３６と、この外周に被せられる円筒状の外周治具３７とからなる。中央治具３６の上面中央部には、半球状レンズ３２の半球面３２ｂを転がりなく安定して支持する円錐状の凹部３６ａが形成されている。中央治具３６と外周治具３７の中心軸は一致し、かつ凹部３６ａもこの中心軸に対して対称になっている。
【００３０】
また、外周治具３７には、内周面３７ａから外周面３７ｂまで貫通する空気抜き用の孔３７ｃが、少なくとも１個形成されている。なお、外周治具３７の内周面３７ａで規定される外周治具３７の内空間３８が円柱状であれば、必ずしも外周治具３７が円筒状でなくてもよく、例えば外周治具３７の外形が方形であってもよい。また、これに対応して、中央治具３６が方形であってもよい。
【００３１】
半球状レンズ３２は、予めトレイ（図示せず）に載置されている。作業者は、静電防止機能を有する樹脂製ピンセット３９を用いて半球状レンズ３２を挟持し、トレイから下側治具３６の上方まで移動した後、半球状レンズ３２を下側治具３５の凹部３６ａに静かに載置する（ｓｔ１）。
【００３２】
次に、図６に示すように、接着剤４０を接着剤容器４１から半球状レンズ３２の接合面３２ａに滴下する（ｓｔ２）。なお、ニードルを用いて接着剤４０を半球状レンズ３２の接合面３２ａに塗布してもよい。また、後に説明する上側治具４３を内空間３８に挿入するｓｔ４の直前に、接着剤４０を半球状レンズ３２の接合面３２ａに滴下してもよい。
【００３３】
図７に示すように、平板状レンズ３３は、予めトレイ４２に載置されている。平板状レンズ３３をトレイ４２に載置した際に、平板状レンズ３３とトレイ４２との間に摩擦が生じ、平板状レンズ３３が静電気を帯びる。このため、上側治具４３の一端部に形成された円錐形状の凹部４３ａを平板状レンズ３３に近づけると、平板状レンズ３３に帯電した静電気の力によって、平板状レンズ３３が上側治具４３の凹部４３ａに吸着される（ｓｔ３）。
【００３４】
凹部４３ａは、その円錐頂点が上側治具４３の中心軸上に位置し、裾野形状が上側治具４３の中心軸に関して対象となるように、かつ平板状レンズ３３のテーパー面３３ｃに合わせて形成されている。このため、凹部４３ａが平板状レンズ３３を静電吸着した際に、平板状レンズ３３の光軸と上側治具４３の中心軸とが一致し、平板状レンズ３３が偏芯することなく凹部４３ａに安定して保持される。また、上側治具４３は、帯電した平板状レンズ３３を吸着しやすく、適度な重みがあってハンドリングが容易な真鍮等の金属から形成されており、外周治具３７の円柱状をした内空間３８に嵌合されるように、内空間３８の径よりもわずかに小さい外径の円柱状をしている。
【００３５】
上側治具４３の凹部４３ａで平板状レンズ３３を静電吸着した後、作業者が上側治具４３を手で保持したまま、トレイ４２から下側治具３５の上方まで移動する。そして、図８に示すように、上側治具４３を垂直に降下させ、外周治具３７の内空間３８にゆっくりと挿入してゆく（ｓｔ４）。上側治具４３が内空間３８内に挿入されるにつれて、内空間３８内の空気が孔３７ｃから外周治具３７の外に排出され、中央治具３６と上側治具４３の中心軸が一致しているため、図９に示すように、上側治具４３を下側治具３５の内周面３７ａに嵌合させることにより、平板状レンズ３３の接合面３３ａが、接着剤４０を挟んで、半球状レンズ３２の接合面３２ａに突き合わされる（ｓｔ５）。
【００３６】
続いて、上側治具４３の上側の矢印で示すように、上側治具４３を下側治具３５に対して回転させ、半球状レンズ３２の接合面３２ａと平板状レンズ３３の接合面３３ａとを摺り合わせる（ｓｔ６）。これにより、接着剤４０が接合面３２ａ，３３ａの間に均一に拡布されるとともに、半球状レンズ３２の半球面３２ｂが凹部３６ａの面にならい、半球状レンズ３２の姿勢が修正されるから、半球状レンズ３２の光軸と平板状レンズ３３の光軸とが一致する。
【００３７】
次に、上側治具４３を下側治具３５に対して回転させることを止め、上側治具４３を下側治具３５の内周面３７ａに嵌合させたままの状態で、接着剤４０が硬化するまでの所定時間、例えば１日間、放置する（ｓｔ７）。上側治具４３の重みを利用して、半球状レンズ３２と平板状レンズ３３の接着性を高める。この所定時間が経過した後、上側治具４３を下側治具３５の内空間３８から引き抜く（ｓｔ８）。
【００３８】
このとき、上側治具４３が平板状レンズ３３を吸着している静電気力よりも、半球状レンズ３２と平板状レンズ３３とを接着している接着剤４０の接着力の方が大きく、かつ、半球状レンズ３２と平板状レンズ３３が互いに接合して一体化した第１レンズ２６の重さ（第１レンズ２６に働く重力の大きさ）の方が静電気力よりも大きいので、第１レンズ２６が、上側治具４３に静電吸着されることなく、下側治具３５の凹部３６ａに残る。この後、第１レンズ２６を樹脂製ピンセット３９等を用いて下側治具３５から取り出す（ｓｔ９）。
【００３９】
なお、第１レンズ２６の重さよりも静電気力の方が大きく、第１レンズ２６と上側治具４３が離れないおそれがある場合でも、確実に第１レンズ２６が下側治具３５の凹部３６ａに残るようにするには、図１０に示すように、周知の除電ブロア４５を下側治具３５の近傍に配置し、除電ブロア４５を稼働して上側治具４３及び下側治具３５の除電をしながら、上側治具４３を下側治具３５の内空間３８から引き抜くようにするのがよい。また、除電ブロア４５を使用せずに、半球状レンズ３２を静電気力で下側治具３５に吸着するようにしてもよい。
【００４０】
このように、レンズ（光学部品）の吸着に静電気を利用しているので、真空吸着ノズルを用いる場合のように、レンズの姿勢を調整する際に、真空吸着ノズルを駆動する駆動手段の駆動，停止を頻繁に繰り返すような面倒な操作が不要となり、レンズの組み立て作業性を大幅に向上させることができる。
【００４１】
また、上側治具４３による平板状レンズ３３の吸着保持力は、真空吸着ノズルのそれよりも小さく、平板状レンズ３３が凹部４３ａに対して多少ずれても、器具を用いて位置を直せる程度であるため、真空吸着ノズルを用いた場合のように、再度吸着して位置ずれを直すといった煩雑な作業をしなくても済む。
【００４２】
以上説明した実施形態では、下側治具３５に半球状レンズ３２を載置し、上側治具４３で平板状レンズ３３を静電吸着するようにしたが、逆に、図１１に示すように、下側治具４７に平板状レンズ３３を載置し、上側治具４８で半球状レンズ３２を静電吸着するようにしてもよい。この場合、下側治具４７の中央治具４９の凹部４９ａは、上記実施形態の凹部４３ａと同様の形状に形成し、上側治具４８の凹部４８ａは、半球状レンズ３２の半球面３２ｂに対応した形状（上記実施形態の凹部３６ａと同様の円錐形状）に形成する。その他の点は全て上記実施形態と同じであるから、同じ部材には同じ符号を付し、以降の説明を省略する。
【００４３】
なお、半球状レンズ，平板状レンズは、静電気力で上側治具に吸着保持される程度の重さ、具体的には、２５ｍｇ以下であればよい。
【００４４】
上記実施形態では、貼り合わせレンズとして、半球状レンズと平板状レンズとの組み合わせ例を挙げたが、本発明はこれに限定されることなく、例えばお互いに接合される接合面がそれぞれ平面で、少なくとも一方のレンズの接合面と反対側の面が、治具を回転させることにより治具の凹部にならい、レンズの偏芯が修正されるような球面等の湾曲面であればよい。
【００４５】
また、上記実施形態では、電子内視鏡に用いられる共焦点用対物レンズユニットの光学系に係るレンズを例示しているが、本発明はこれに限定されることなく、例えば超音波トランスデューサが先端部に一体化された超音波内視鏡や、光学的イメージガイドを採用して被検体の状態を観察する内視鏡（ファイバースコープ）、撮像素子を先端部に備える電子内視鏡の光学系に係るレンズにも適用することができる。
【図面の簡単な説明】
【００４６】
【図１】電子内視鏡の外観図である。
【図２】共焦点レーザプローブの先端部断面図である。
【図３】第１レンズの断面図である。
【図４】第１レンズの組立工程を示すフローチャートである。
【図５】半球状レンズを下側治具に載置する工程を示す説明図である。
【図６】接着剤を半球状レンズの接合面に滴下する工程を示す説明図である。
【図７】上側治具が平板状レンズを静電吸着する工程を示す説明図である。
【図８】上側治具を下側治具の内空間に挿入する工程を示す説明図である。
【図９】上側治具を回転させて平板状レンズの接合面と半球状レンズの接合面とを摺り合わせる工程を示す説明図である。
【図１０】上側治具を下側治具の内空間から引き抜く工程において、除電ブロアを用いる実施形態を示す説明図である。
【図１１】平板状レンズを下側治具に載置し、半球状レンズを上側治具で静電吸着する実施形態を示す説明図である。
【符号の説明】
【００４７】
１０  電子内視鏡
１２  共焦点レーザプローブ
２１  共焦点用対物レンズユニット
２６  第１レンズ
２８  第２レンズ
３２  半球状レンズ
３２ａ，３３ａ  接合面
３２ｂ  半球面
３３  平板状レンズ
３３ｃ  テーパー面
３５，４７  下側治具
３６ａ，４３ａ，４８ａ，４９ａ  凹部
３８  内空間
４０  接着剤
４３，４８  上側治具
４５  除電ブロア
【図１】
2009292701.tif 000003
【図２】
2009292701.tif 000004
【図３】
2009292701.tif 000005
【図４】
2009292701.tif 000006
【図５】
2009292701.tif 000007
【図６】
2009292701.tif 000008
【図７】
2009292701.tif 000009
【図８】
2009292701.tif 000010
【図９】
2009292701.tif 000011
【図１０】
2009292701.tif 000012
【図１１】
2009292701.tif 000013